【事件の表示】
　特願２００２−１７６２９３「光ピックアップアクチュエータ駆動方法」拒絶査定不服審判事件〔平成１５年１月１０日出願公開、特開２００３−６９０１〕について、次のとおり審決する。
【結　論】
　本件審判の請求は、成り立たない。
【理　由】
１．手続の経緯、本願発明
　本願は、平成１４年６月１７日（パリ条約による優先権主張２００１年６月１９日　大韓民国）の出願であって、平成１７年２月１８日付けの拒絶査定に対して同年５月２７日付けで拒絶査定不服審判が請求されるとともに、同日付けで手続補正がされたものである。
　前記手続補正は、特許請求の範囲について、請求項２６ないし３１を削除するものであるから、平成１８年改正前特許法第１７条の２第４項第１号に掲げる事項を目的とするものに該当する。
　したがって、本願の請求項１ないし２５に係る発明は、平成１７年５月２７日付け手続補正により補正された特許請求の範囲の請求項１ないし２５に記載されたとおりのものでありと認められ、そのうち、請求項１に係る発明（以下、「本願発明」という。）は、次のとおりである。
「ベース上に支持部材により移動可能にボビンを配置する段階と、前記ボビンをフォーカス方向とチルト方向とに駆動するための少なくとも一つのチルト兼用フォーカスコイルと、トラック方向に駆動するための少なくとも一つのトラックコイルとを前記ボビンの両側面に、前記チルト兼用フォーカスコイルとトラックコイルとを互いに重畳しないように配置し、前記チルト兼用フォーカスコイル及びトラックコイルと対向して設けられた磁石を具備する段階と、前記少なくとも一つのチルト兼用フォーカスコイルを少なくとも二セットのコイルに分けて各セットごとに入力信号を印加する段階とを含むことを特徴とする光ピックアップアクチュエータ駆動方法。」
　
２．引用例
（１）原査定の拒絶の理由に引用された特開平１０−１１６４３１号公報（以下、「引用例１」という。）には、対物レンズ駆動装置について、図面と共に次の事項が記載されている（なお、各引用例記載事項の下線は当審で付した。）。
ア．「【０００１】
【産業上の利用分野】本発明は、例えば、光磁気ディスクドライブ、追記型ディスクドライブ、相変化型ディスクドライブ、ＣＤ−ＲＯＭ、ＤＶＤ等の光記録媒体に対して、情報を少なくとも記録又は再生する情報記録再生装置に用いる対物レンズ駆動装置に関し、特に
対物レンズの光軸の傾きを補正する対物レンズ駆動装置
　
イ．「【００１０】
【発明の実施の形態】以下、図面を参照しながら本発明の実施の形態を詳細に説明していく。図１〜図７は、第１の実施の実施の形態を示したもので、光磁気ディスクを記録媒体とする情報記録再生装置の対物レンズ駆動装置を示している。なお、図中の座標軸のうち、
Ｘ方向はトラッキング方向（記録トラックの法線方向、アクセス方向）を、Ｙ方向はタンジェンシャル方向（記録トラックの接線方向）を、Ｚ方向はフォーカシング方向（記録媒体面に垂直方向、対物レンズの光軸方向）
　
ウ．「【００２８】図１１〜図１５は、第３の実施の形態を示したものである。図１１の駆動装置の斜視図に示すように、
ホルダ１の中央の穴に対物レンズ２が固着され
ホルダ１のＹ方向側面にはプリントコイル２３，２４が固着されている。このプリントコイル２３，２４は３層構造で、それぞれ向かい合うマグネット８，９に近い方から順に、２つのフォーカスコイル３、１つのトラットキングコイル４、チルトコイル５（６）が形成され、全体は剛性の高いエポキシ樹脂等の樹脂で固められている
ホルダ１、対物レンズ２、プリントコイル２３，２４で可動部７が構成されている
【００２９】さらに、ベリリューム銅等の導電性の高い金属箔をエッチングして成るバネシート２５が、Ｙ方向に延在する中央の３本のバネ２６、同じくＹ方向に延在する３本の連結部２７、Ｙ方向両端に位置する２つの接続部２８を有している。このように構成された
バネシート２５は、Ｙ（−）方向一端をプリントコイル２３のＸ方向両側面に各６個形成された溝２３ａに位置決めし、溝２３ａ周辺に形成された銅のパターンに半田付け固定される。また、バネシート２５の３本の連結部２７のＹ（＋）方向他端は、プリントコイル２４のＸ方向両側面に各３個形成された溝２４ａに位置決めされ接着固定される
バネシート２５の３本のバネ２６の他端はベース１０のＹ（＋）側に形成された溝１０ｂ−１に位置決めされ、固定される
【００３０】以上のようにして、２つのプリントコイル２３，２４の間は、計６本の連結部２７で電気的に接続される。つまり、プリントコイル２４に形成されたフォーカスコイル３、トラットキングコイル４、チルトコイル６の各端末２本づつの計６本の端末が、連結部２７によりプリントコイル２３に接続されるのである。また、
マグネット８，９はＸ方向を２極着磁し、背面にヨーク１１，１２を固定し、底面をベース１０の固定部１０ａに固着され
【００３１】次に
可動部７の駆動について説明する。フォーカスコイル３に電流を流すと、マグネット８，９の発生する磁界と協同しフォーカス方向の駆動力が発生し、バネシート２５の計６本のバネ２６が撓み、可動部７をフォーカス方向に移動させる。
トラットキングコイル４に電流を流すと、マグネット８，９の発生する磁界と協同しトラットキング方向の駆動力が発生し、計６本のバネ２６が撓み可動部７をトラッキング方向に移動させる
チルトコイル５に電流を流すと、マグネット８，９の発生する磁界と協同しＹ軸周りのトルクが発生し、計６本のバネ２６が撓み可動部７をＹ軸周りに回動させる
　
エ．「【００３９】図１６は、
第３の実施の形態の変形例
チルトコイルを用いず、フォーカスコイルをフォーカス駆動用とチルト駆動用とに兼用した
４つのフォーカスコイル３０ａ，３０ｂ，３０ｃ，３０ｄの各々に所定の電流を流しフォーカスコイルにＺ方向で逆向きの力が発生するようにする。すると、可動部７は、Ｙ軸周りのトルクを受けＹ軸周りに回動する。
フォーカスコイル３０ａ，３０ｂ，３０ｃ，３０ｄの各辺には図示のような力が生じる。有効な力を発生する辺３０ａ−１，３０ｂ−１，３０ｃ−１３０ｄ−１
【００４０】
また、４つのフォーカスコイル３０ａ，３０ｂ，３０ｃ，３０ｄにＺ方向で同じ向きの力が発生するように各フォーカスコイルに電流を流すと、可動部７をフォーカス方向に移動する
　
オ．図１６には、４つのフォーカスコイル３０ａ，３０ｂ，３０ｃ，３０ｄが図示され、辺３０ａ−１，３０ｂ−１，３０ｃ−１，３０ｄ−１に発生する力を示す矢印がＺ方向（３０ａ−１，３０ｃ−１）と逆向き（３０ｂ−１，３０ｄ−１）に図示されている。
　
　引用例１は「対物レンズ駆動装置」について記載されているが、当該装置の構成要素を配置すること、及び前記構成要素の動作等から、方法の発明を把握できることが明らかであるから、前記「ア．」乃至「オ．」の記載及び図示を総合勘案すると、引用例１には次の発明（以下、「引用例１発明」という。）が記載されていると認められる。
　
「光記録媒体に対して情報を記録又は再生する情報記録再生装置に用いる対物レンズ駆動方法であって、
　ホルダの中央の穴に対物レンズを固着し、ホルダ１のＹ方向側面には２つのプリントコイルを固着し、
　このプリントコイルは、それぞれフォーカス駆動用とチルト駆動用とに兼用した２つのフォーカスコイルと、１つのトラットキングコイルが形成され、全体は剛性の高いエポキシ樹脂等の樹脂で固め、
　ホルダ、対物レンズ、２つのプリントコイルで可動部を構成し、
　プリントコイルに向かい合うようにマグネットをベースに配設固定し、
　Ｙ方向に延在する中央の３本のバネ、同じくＹ方向に延在する３本の連結部、及びＹ方向両端に位置する２つの接続部を有しているバネシートのＹ方向一端をプリントコイルのＸ方向両側面に各６個形成された溝に位置決め、固定し、また、前記バネシートの３本の連結部のＹ方向他端は、プリントコイルのＸ方向両側面に各３個形成された溝に位置決めされ接着固定され、また、前記バネシートの３本のバネの他端はベースに形成された溝に位置決め、固定され、
　前記各プリントコイルの各２つのフォーカスコイルにフォーカシング方向で同じ向きに力が発生するように電流を流すことによりフォーカス駆動し、また前記２つのフォーカスコイルにフォーカシング方向で逆向きの力が発生するように電流を流すことでチルト駆動し、また、トラットキングコイルに電流を流すと、マグネット（８，９）の発生する磁界と協同しトラットキング方向の駆動力が発生し、計６本のバネが撓み可動部をそれぞれ駆動するようにした、
情報記録再生装置に用いる対物レンズ駆動方法。」
　
（２）同じく原査定の拒絶の理由に引用された特開平７−６５３９７号公報（以下、「引用例２」という。）には、光ディスク装置の光ピックアップについて、図面と共に次の事項が記載されている。
カ．「【００３０】図５〜図７において、第１実施例と同じ機能を有する構成部材には同じ符号をつけ、それらの説明は省略する。第１実施例と異なる部分は、図１の
フォーカスコイル３とチルトコイル５ａ〜５ｄを、電気的に独立したボイスコイル３０ａ，３０ｂ，３０ｃ，３０ｄに置き換え、フォーカスコイルとチルトコイルを兼用している
【００３１】図５において対物レンズホルダ２の周方向の側面であって、
トラッキングコイル４ａ〜４ｄの下部に位置する部分にボイスコイル３０ａ〜３０ｄが取付けられている。
ボイスコイル３０ａ〜３０ｄもつる巻き又は渦巻き状に巻かれたコイルで、光ピックアップのチルト制御とフォーカス制御用の駆動電流を流す
図５及び図７に示すようにボイスコイル３０ａ，３０ｂは対物レンズホルダ２の手前側の側面に固着され、ボイスコイル３０ｃ，３０ｄは対物レンズホルダ２の他方の側面に固着される。そして図７に示すようにボイスコイル３０ａ，３０ｂ，３０ｃ，３０ｄは駆動電流が独立に供給されるようドライバに接続されている
　
キ．図５の分解斜視図には、トラッキングコイル４ａ，４ｂの下部に位置する部分にボイスコイル３０ａ，３０ｂが図示されている。
　
ク．図６，７には、ボイスコイル３０ａ，３０ｂ，３０ｃ，３０ｄが図示されている。
　
（３）同じく原査定の拒絶の理由に引用された特開平８−２７３１７６号公報（以下、「引用例３」という。）には、光ヘッドの対物レンズアクチュエータについて、図面と共に次の事項が記載されている。
ケ．「【００１４】図１に示す本実施例の光ヘッドの対物レンズアクチュエータは、対物レンズ１０１、対物レンズ１０１を保持する角形のレンズホルダ１０２、レンズホルダ１０２の
側面に取り付けられた４個のフォーカスコイル１０３〜１０６、同じくレンズホルダ１０２の側面に取り付けられた２個のトラッキングコイル１０７，１０９，トラッキングコイル１０７の下部に取り付けられた１個のトラッキングコイル（図２に示したトラッキングコイル１０８
　
コ．図２，３，４には、トラッキングコイル１０７，１０８とフォーカスコイル１０３，１０４が図示されている。
　
３．対比
　本願発明と引用例１発明を対比する。
（１）引用例１発明と本願発明とで、「ベース」は共通する。引用例１発明の「ホルダ」は、本願発明の「ボビン」に相当する。引用例１発明の「マグネット」は、本願発明の「磁石」に相当する。
　
（２）引用例１発明において、「ホルダのＹ方向側面には２つのプリントコイルを固着し」とあることからすると、２つのプリントコイルがホルダに固着されている。また、「バネシートのＹ方向一端をプリントコイルのＸ方向両側面に各６個形成された溝に位置決め、固定し、また、前記バネシートの３本の連結部のＹ方向他端は、プリントコイルのＸ方向両側面に各３個形成された溝に位置決めされ接着固定され、また、前記バネシートの３本のバネの他端はベースに形成された溝に位置決めされ、固定され」るから、バネシートは一端をプリントコイルに、他端をベースに固着されていることになる。結局、バネシートは、プリントコイルを介在して、一端をホルダに、他端をベースに固着することになり、ホルダは、プリントコイルに流れる電流と磁石により磁界との電磁力によりフォーカス駆動、チルト駆動されるもので、その際にはバネが撓んでホルダをフォーカス方向、チルト方向に移動可能に支持することになる。したがって、引用例１発明の「バネシート」は、本願発明における「支持部材」に相当し、引用例１発明は、本願発明の「ベース上に支持部材により移動可能にボビンを配置する段階」を備える。
　
（３）引用例１発明の「フォーカス駆動用とチルト駆動用とに兼用した２つのフォーカスコイル」は、本願発明の「フォーカス方向とチルト方向とに駆動するための少なくとも一つのチルト兼用フォーカスコイル」に相当する。
　引用例１発明の「１つのトラッキングコイル」は、本願発明の「トラック方向に駆動するための少なくとも一つのトラックコイル」に相当する。
　引用例１発明の「プリントコイルに向かい合うようにマグネットをベースに配設固定」することは、本願発明の「前記チルト兼用フォーカスコイル及びトラックコイルと対向して設けられた磁石を具備する」ことに相当する。
　すると、引用例１発明は、本願発明と「前記ボビンをフォーカス方向とチルト方向とに駆動するための少なくとも一つのチルト兼用フォーカスコイルと、トラック方向に駆動するための少なくとも一つのトラックコイルとを前記ボビンの両側面に」「配置し、前記チルト兼用フォーカスコイル及びトラックコイルと対向して設けられた磁石を具備する段階」を備える点で一致する。
　
（４）引用例１発明の「対物レンズ駆動装置」において、「各プリントコイルの各２つのフォーカスコイルにフォーカシング方向で同じ向きに力が発生するように電流を流すことによりフォーカス駆動し、また前記２つのフォーカスコイルにフォーカシング方向で逆向きの力が発生するように電流を流すことでチルト駆動し、前記対物レンズの光軸の傾きを補正するように前記ホルダをタンジェンシャル方向に回動させるようにした」ことは、フォーカス駆動用とチルト駆動用を兼用した四つのフォーカスコイルが、二つのセットに分けられ、それぞれ電流が流されていことは明らかであるから、本願発明の「少なくとも一つのチルト兼用フォーカスコイルを少なくとも二セットのコイルに分けて各セットごとに入力信号を印加する段階」を備えることにに相当する。
　
（５）引用例１発明の「光記録媒体に対して、情報を記録又は再生する情報記録再生装置に用いる対物レンズ駆動方法」は、本願発明の「光ピックアップアクチュエータ駆動方法」に相当する。
　
　したがって、本願発明と引用例１発明の一致点及び相違点は次のとおりである。
＜一致点＞
「ベース上に支持部材により移動可能にボビンを配置する段階と、
　前記ボビンをフォーカス方向とチルト方向とに駆動するための少なくとも一つのチルト兼用フォーカスコイルと、トラック方向に駆動するための少なくとも一つのトラックコイルとを前記ボビンの両側面に、前記チルト兼用フォーカスコイルとトラックコイルとを互いに重畳しないように配置し、前記チルト兼用フォーカスコイル及びトラックコイルと対向して設けられた磁石を具備する段階と、
　前記少なくとも一つのチルト兼用フォーカスコイルを少なくとも二セットのコイルに分けて各セットごとに入力信号を印加する段階と
を含むことを特徴とする光ピックアップアクチュエータ駆動方法。」
　
＜相違点＞
　チルト兼用フォーカスコイルとトラックコイルの配置に関し、本願発明は、「チルト兼用フォーカスコイルとトラックコイルとを互いに重畳しないように」配置するのに対して、引用例１発明は、このように配置するものではない点。
　
４．判断
　前記相違点について検討する。
　引用例２には、フォーカスコイルとチルトコイルを兼用するボイスコイルと、トラッキングコイルとが、重畳せずに対物レンズホルダの同一面に取付けられている光ピックアップが記載されている。また、同様に、引用例３にも、フォーカスコイルとトラッキングコイルとが重畳せずに対物レンズのホルダの同一側面に形成された対物レンズアクチュエータが記載されている。
　引用例２及び引用例３は、光記録再生装置に用いる光ピックアップに関する点で引用例１発明と共通する技術分野に属するものであるから、フォーカス駆動用とチルト駆動用を兼用したフォーカスコイルと、トラッキングコイルとを、ホルダの同一側面に配した引用例１発明において、当該フォーカス駆動用とチルト駆動用を兼用したフォーカスコイルと、トラッキングコイルとが、互いに重畳しないように形成することは、引用例２，３に記載されたコイル構成を参照することにより、当業者が容易に想到しうることである。
　そして前記相違点によって本願発明の奏する効果についても、当業者が当然に予測しうる範囲内のものにすぎない。
　
　なお、審判請求書において、「フォーカスコイルとチルトコイルとがトラックコイルとが重畳しないために、各コイルについて有効磁石面積が独立的になり、磁束の効率が向上し、コイルを微細パターンコイルで容易に制作できるという作用効果を有しています。」と主張するが、本願発明には、磁束を形成する磁石の有効磁石面積についての特定、及びコイルを微細パターンで制作することについての特定は、いずれもされていないから、前記主張は、本願発明の構成に基づかない主張であって、採用することができない。
　
５．むすび
　以上のとおり、本願の請求項１に係る発明は、引用例１乃至３に記載された発明に基づいて当業者が容易に発明をすることができたものであるから、特許法第２９条第２項の規定により特許を受けることができない。
　したがって、他の請求項について検討するまでもなく、本願は、拒絶すべきものである。
　よって、結論のとおり審決する。